(57)【要約】【課題】  本発明は、ホモジナイザーの作動中の問題を解決し、実験中の均質化過程における切断と、粉砕と、攪拌と、が不足する問題を解決できる攪拌式粉砕ホモジナイザーを提供することができる。【解決手段】  攪拌式粉砕ホモジナイザーは、ホモジナイザー本体を含み、ホモジナイザー本体は、均質化装置とスタンドを含み、スタンドは均質化装置の底部に設けられ、均質化装置の頂部には送り口と給水口が設けられ、均質化装置の後ろ側には操作ボックスと排出口が設けられ、操作ボックスは排出口の頂部に設けられ、均質化装置の片側にはクーリングプレートが設けられ、均質化装置の中にはカッター、モーター一、スライド、攪拌粉砕シリンダー、モーターニが設けられる。【選択図】  図１
2019135025.tif 000002
【特許請求の範囲】
【請求項１】
攪拌式粉砕ホモジナイザーであって、ホモジナイザー本体を含み、前記ホモジナイザー本体は、均質化装置とスタンドを含み、前記スタンドは前記均質化装置の底部に設けられ、前記均質化装置の頂部には送り口と給水口が設けられ、前記均質化装置の後ろ側には操作ボックスと排出口が設けられ、前記操作ボックスは前記排出口の頂部に設けられ、前記均質化装置の片側にはクーリングプレートが設けられ、前記均質化装置の中にはカッター、モーター一、スライド、攪拌粉砕シリンダー、モーターニが設けられ、前記カッターは前記モーター一の後ろ側に設けられ、前記スライドは前記カッターの底部に設けられ、前記攪拌粉砕シリンダーは前記スライドの後ろ側に設けられ、前記モーターニは前記攪拌粉砕シリンダーの後ろ側に設けられ、前記送り口と前記カッターはパイプラインを通じて接続し、前記排出口は前記パイプラインを通じて前記攪拌粉砕シリンダーと接続し、前記カッターは前記モーター一の出力軸に据え付けられ、前記カッターは前記スライドを通じて、前記攪拌粉砕シリンダーに据え付けられ、前記操作ボックスにはボタンが設けられ、前記カッターにはカッティングディスクが設けられ、前記攪拌粉砕シリンダーの中に攪拌器と回転軸が設けられ、前記攪拌器は前記回転軸に据え付けられ、前記回転軸は前記モーターニの出力軸に据え付けられていることを特徴とする攪拌式粉砕ホモジナイザー。
【請求項２】
前記ボタンはカッターボタン、攪拌粉砕ボタン、ラジエーターボタンを含むことを特徴とする請求項１に記載の攪拌式粉砕ホモジナイザー。
【請求項３】
前記排出口にはバルブが設けられることを特徴とする請求項１に記載の攪拌式粉砕ホモジナイザー。
【請求項４】
前記クーリングプレートにはラジェーターが設けられることを特徴とする請求項１に記載の攪拌式粉砕ホモジナイザー。
【請求項５】
前記攪拌器にはブレードが設けられることを特徴とする請求項１に記載の攪拌式粉砕ホモジナイザー。
【発明の詳細な説明】
【技術分野】
【０００１】
本発明は、化学実験室の機器設備の技術分野に属し、特に攪拌式粉砕ホモジナイザーに関する。
【背景技術】
【０００２】
ホモジナイザーは、液体材料の均質化又は乳化に用いる設備である。食品の加工においてホモジナイザーは材料の液体を精製し、材料をより均一に混ぜることができ、食品、乳製品、飲料加工業において重要な加工設備である。
【先行技術文献】
【特許文献】
【０００３】
【特許文献１】中国実用新案第２０１９５９７６１号明細書
【発明の概要】
【発明が解決しようとする課題】
【０００４】
現在、市場で使用されているホモジナイザーは通常、加工業に用いられる。精製の度合いは十分であるが、多くは大きな範囲で加工が行われるため、粉砕機能を具備しない場合が多い。しかし、われわれの研究者は、ホモジナイザーを使用する実験を行う必要があるとき、均質化処理を行う材料は攪拌、粉砕処理を行い、実験時での均質化プロセスにおいて切断、粉砕、攪拌が必要となるという問題を知っている必要があることがほとんどである。
【０００５】
したがって、攪拌式粉砕ホモジナイザーをいかに設計するかが、われわれが解決すべき問題となっている。
【課題を解決するための手段】
【０００６】
本発明の目的は、背景技術で説明したホモジナイザーの作動中の問題を解決し、実験中の均質化過程における切断と、粉砕と、攪拌が不足する問題を解決できる攪拌式粉砕ホモジナイザーを提供することにある。
【０００７】
本発明にかかる攪拌式粉砕ホモジナイザーは、ホモジナイザー本体を含み、ホモジナイザー本体は、均質化装置とスタンドを含み、スタンドは均質化装置の底部に設けられ、均質化装置の頂部には送り口と給水口が設けられ、均質化装置の後ろ側には操作ボックスと排出口が設けられ、操作ボックスは排出口の頂部に設けられ、均質化装置の片側にはクーリングプレートが設けられ、均質化装置の中にはカッター、モーター一、スライド、攪拌粉砕シリンダー、モーターニが設けられ、カッターはモーター一の後ろ側に設けられ、スライドはカッターの底部に設けられ、攪拌粉砕シリンダーはスライドの後ろ側に設けられ、モーターニは攪拌粉砕シリンダーの後ろ側に設けられ、送り口とカッターはパイプラインを通じて接続し、排出口はパイプラインを通じて攪拌粉砕シリンダーと接続し、カッターはモーター一の出力軸に据え付けられ、カッターはスライドを通じてに据え付けられ、操作ボックスはボタンが設けられ、カッターにはカッティングディスクが設けられ、攪拌粉砕シリンダーの中に攪拌器と回転軸が設けられ、攪拌器は回転軸に据え付けられ、回転軸はモーターニの出力軸に据え付けられる。
【０００８】
より好ましくは、本発明にかかる攪拌式粉砕ホモジナイザーは、ボタンはカッターボタン、攪拌粉砕ボタン、ラジエーターボタンを含む。
【０００９】
より好ましくは、本発明にかかる攪拌式粉砕ホモジナイザーは、排出口にはバルブが設けられる。
【００１０】
より好ましくは、本発明にかかる攪拌式粉砕ホモジナイザーは、クーリングプレートにはラジェーターが設けられる。
【００１１】
より好ましくは、本発明にかかる攪拌式粉砕ホモジナイザーは、攪拌器にはブレードが設けられる。
【発明の効果】
【００１２】
本発明は先行技術との対比において以下の特徴を有する。
【００１３】
1．カッターをモーター一の出力軸に据え付け、モーター一を作動させる。出力軸はカッターを動かす。カッターにはカッティングディスクが設けられ、回転中に落下した材料を切断し、大きな塊の材料を切断して小さな塊にし、カッターの送り口1回目の切断を経て、次の作業を行いやすくする。スライドをカッターと攪拌粉砕シリンダーの間に設け、小さな塊に切断した材料を、スライドを通じて攪拌粉砕シリンダーの中に滑り落とし、攪拌粉砕ボタンを起動する。モーターニが作動し、モーターニの出力軸が回転軸を動かす。攪拌器は回転軸に設けられ、回転軸は攪拌器を動かす。攪拌器にはブレードが設けられ、攪拌中に材料に対する二次粉砕を行い、粉砕を徹底できるだけでなく、攪拌効果を最大化できる。給水口を通じて攪拌粉砕シリンダーに水を注ぐことができる。材料によっては注水時に攪拌して混合させる必要がある。二次粉砕を経た材料は、撹拌により混合され、混合効果が最大となる。
【００１４】
2．クーリングプレートに放熱ファンを設ける。長時間作動すると、機械の内部に熱が生じるため、温度が高くなり、材料の性質に影響を及ぼす可能性がある。ラジエーターボタンを起動すると、複数の放熱ファンが同時に作動し、機械の温度を制御可能な段階まで速やかに下げることができる。排出口にバルブを設けることで、バルブを開くと、攪拌、粉砕後の材料を排出でき、材料の排出を制御できる。
【００１５】
3．この攪拌式粉砕ホモジナイザーは、設計が合理的で、実用性が高く、好ましい成長の可能性を有する。
【図面の簡単な説明】
【００１６】
【図１】本発明の全体の概略図である。
【図２】本発明の攪拌粉砕シリンダーの概略図である。
【図３】本発明のカッターの概略図である。
【発明を実施するための形態】
【００１７】
以下、図面を用いて、本発明の実施形態について説明する。本発明の実施形態について簡潔に、完全に説明しているが、説明する実施形態は本発明の実施形態の一部に過ぎず、全ての実施形態を説明するものではない。
【００１８】
図１〜３に示すように、本発明にかかる攪拌式粉砕ホモジナイザーは、ホモジナイザー本体を含み、ホモジナイザー本体は、均質化装置20とスタンド13を含み、スタンド13は均質化装置20の底部に設けられ、均質化装置20の頂部には送り口1と給水口3が設けられ、均質化装置20の後ろ側には操作ボックス4と排出口9が設けられ、操作ボックス4は排出口9の頂部に設けられ、均質化装置20の片側にはクーリングプレート6が設けられ、均質化装置20の中にはカッター2、モーター一19、スライド5、攪拌粉砕シリンダー8、モーターニ7が設けられ、カッター2はモーター一19の後ろ側に設けられ、スライド5は2の底部に設けられ、攪拌粉砕シリンダー8はスライド5の後ろ側に設けられ、モーターニ7は攪拌粉砕シリンダー8の後ろ側に設けられ、送り口1とカッター2はパイプラインを通じて接続し、排出口9はパイプラインを通じて攪拌粉砕シリンダー8と接続し、カッター2はモーター一19の出力軸に据え付けられ、カッター2はスライド5を通じて8に据え付けられ、操作ボックス4はボタンが設けられ、カッター2にはカッティングディスク14が設けられ、攪拌粉砕シリンダー8の中に攪拌器10と回転軸12が設けられ、攪拌器10は回転軸12に据え付けられ、回転軸12はモーターニ7の出力軸に据え付けられる。
【００１９】
より好ましい本発明にかかる攪拌式粉砕ホモジナイザーとして、ボタンはカッターボタン15、攪拌粉砕ボタン16、ラジエーターボタン17を含む。
【００２０】
より好ましい本発明にかかる攪拌式粉砕ホモジナイザーとして、排出口9にはバルブ18が設けられる。
【００２１】
より好ましい本発明にかかる攪拌式粉砕ホモジナイザーとして、クーリングプレート6にはラジェーター21が設けられる。
【００２２】
より好ましい本発明にかかる攪拌式粉砕ホモジナイザーとして、攪拌器10にはブレード11が設けられる。
【００２３】
次に、本発明にかかる攪拌式粉砕ホモジナイザーの動作原理について説明する。まず、ホモジナイザーの各部材が正常に動作するか否かを検査する。次に、切断ボタンカッターボタン15を起動し、材料を送り口1に放り込み、カッター2をモーター一19の出力軸に据え付ける。モーター一19が作動すると、出力軸はカッター2を動かす。カッター2にはカッティングディスク14が設けられ、回転中に落下した材料を切断でき、大きな塊の材料を切断して小さな塊にし、カッター2の送り口1回目の切断を経て、次の作業を行いやすくする。スライド5をカッター2と攪拌粉砕シリンダー8の間に設け、小さな塊に切断した材料を、スライド5を通じて攪拌粉砕シリンダー8の中に滑り落とし、攪拌粉砕ボタン16を起動する。モーターニ7が作動し、モーターニ7の出力軸が回転軸12を動かす。攪拌器10は回転軸12に設けられ、回転軸12は攪拌器10を動かす。攪拌器10にはブレード11が設けられ、攪拌中に材料に対する二次粉砕を行い、粉砕を徹底できるだけでなく、攪拌効果を最大化できる。給水口3を通じて攪拌粉砕シリンダー8に水を注ぐことができる。材料によっては注水時に攪拌して混合させる必要がある。二次粉砕を経た材料は、撹拌により混合され、混合効果が最大となる。長時間作動すると、機械の内部に熱が生じるため、温度が高くなり、材料の性質に影響を及ぼす可能性がある。ラジエーターボタン17を起動すると、複数のラジェーター21が同時に作動し、機械の温度を制御可能な段階まで速やかに下げることができる。排出口9にバルブ18を設けることで、バルブ18を開くと、攪拌、粉砕後の材料を排出でき、材料の排出を制御できる。
【００２４】
本発明の実施形態を説明したが、本領域の当業者が本発明の原理及び精神から逸脱しない状況下において、これらの実施形態に対する様々な変更、改良、置換、変更をすることができると理解でき、本発明の範囲は特許請求の範囲及びその均等物に基づいて定められる。
【符号の説明】
【００２５】
21    ラジェーター
20    均質化装置
19    モーター一
18    バルブ
17    ラジエーターボタン
16    攪拌粉砕ボタン
15    カッターボタン
14    カッティングディスク
13    スタンド
12    回転軸
11    ブレード
10    攪拌器
9    排出口
8    攪拌粉砕シリンダー
7    モーターニ
6    クーリングプレート
5    スライド
4    操作ボックス
3    給水口
2    カッター
1    送り口
【図１】
2019135025.tif 000003
【図２】
2019135025.tif 000004
【図３】
2019135025.tif 000005